(57)【要約】【課題】複数種類の飲料を入れて携行する場合に、スペース効率を向上させ、かつ携行し易くすることができるメインボトル、サブボトルおよびこれらを備える連結ボトルを提供すること。【解決手段】飲料を収容するサブ底面部２２２、サブ側面部２２１１およびサブ天面部２１１ａを備えたサブボトル２に連結されるメインボトル１であって、飲料を収容するメイン底面部１２２、メイン側面部１２１１およびメイン天面部１１１ａを備え、前記サブ天面部２１１ａに設けられたサブ被連結部２１１ｂ，２１１ｅに、前記サブボトル２に対して高さ方向Ｈに配列された状態で着脱可能に連結されるメイン連結部が前記メイン底面部１２２に設けられていることを特徴とする。【選択図】図１
0003176920.tif 000002
【実用新案登録請求の範囲】
【請求項１】
飲料を収容するサブ底面部、サブ側面部およびサブ天面部を備えたサブボトルに連結されるメインボトルであって、
飲料を収容するメイン底面部、メイン側面部およびメイン天面部を備え、
前記サブ天面部に設けられたサブ被連結部に、前記サブボトルに対して高さ方向に配列された状態で着脱可能に連結されるメイン連結部が前記メイン底面部に設けられていることを特徴とするメインボトル。
【請求項２】
前記メイン連結部は、
前記メイン底面部から円柱状に延びるメイン連結凸部と、
前記メイン連結凸部の外周壁に設けられたメイン係合部とを備え、
前記サブ被連結部は、
前記メイン連結凸部が配される円形のサブ連結凹部と、
前記メイン係合部に係合するサブ被係合部とを備えることを特徴とする請求項２に記載のメインボトル。
【請求項３】
前記メイン係合部は、前記メイン連結凸部の外周壁から径方向外方に延びるメイン連結突起であり、
前記サブ被係合部は、前記サブ連結凹部の内周壁に設けられ、かつ前記メイン連結突起が嵌められるサブ連結溝であり、
前記サブ連結溝は、前記サブ連結凹部の周方向の一端から前記メイン連結突起が嵌められるサブ開口部と、前記サブ開口部から前記周方向に対して傾斜して延びるサブ連結壁部とによって形成され、
前記メイン連結突起は、前記サブ連結壁部の傾斜に合わせて傾斜していることを特徴とする請求項３に記載のメインボトル。
【請求項４】
前記サブ底面部に設けられたサブ連結部に、前記サブボトルに対して高さ方向に配列された状態で着脱可能に連結されるメイン被連結部が前記メイン天面部に設けられていることを特徴とする請求項１から請求項３のいずれか一項に記載のメインボトル。
【請求項５】
前記サブ連結部は、
前記サブ底面部から円柱状に延びるサブ連結凸部と、
前記サブ連結凸部の外周壁に設けられたサブ係合部とを備え、
前記メイン被連結部は、
前記サブ連結凸部が配される円形のメイン連結凹部と、
前記サブ係合部に係合するメイン被係合部とを備えることを特徴とする請求項４に記載のメインボトル。
【請求項６】
前記サブ係合部は、前記サブ連結凸部の外周壁から径方向外方に延びるサブ連結突起であり、
前記メイン被係合部は、前記メイン連結凹部の内周壁に設けられ、かつ前記サブ連結突起が嵌められるメイン連結溝であり、
前記メイン連結溝は、前記メイン連結凹部の周方向の一端から前記サブ連結突起が嵌められるメイン開口部と、前記メイン開口部から前記周方向に対して傾斜して延びるメイン連結壁部とによって形成され、
前記サブ連結突起は、前記メイン連結壁部の傾斜に合わせて傾斜していることを特徴とする請求項５に記載のメインボトル。
【請求項７】
前記メイン連結部と前記サブ連結部とが同一構成とされ、
前記メイン被連結部と前記サブ被連結部とが同一構成とされていることを特徴とする請求項４から請求項６のいずれか一項に記載のメインボトル。
【請求項８】
前記メイン被連結部または前記サブ被連結部に着脱可能に取り付けられるシリコン製の蓋部材を備えることを特徴とする請求項７に記載のメインボトル。
【請求項９】
前記メイン底面部の外縁部から前記高さ方向の外方に延ばされ、かつ前記メイン連結部の周囲に配されたメイン外縁壁部が設けられ、
前記サブ底面部の外縁部から前記高さ方向の外方に延ばされ、かつ前記サブ連結部の周囲に配されたサブ外縁壁部が設けられ、
前記メイン連結部と前記メイン外縁壁部との間、または、前記サブ連結部と前記サブ外縁壁部との間にシリコン製のリング部材が着脱可能に取り付けられることを特徴とする請求項７または請求項８に記載のメインボトル。
【請求項１０】
前記リング部材を取り付けたときの前記リング部材の前記高さ方向外方への突出寸法が、前記メイン外縁壁部または前記サブ外縁壁部の突出寸法よりも大きくなっており、
前記メイン外縁壁部または前記サブ外縁壁部の突出寸法が、前記メイン連結部または前記サブ連結部の突出寸法よりも大きくなっていることを特徴とする請求項９に記載のメインボトル。
【請求項１１】
前記メイン天面部の外縁部に、前記メイン天面部に対して前記高さ方向の内方に没し、前記サブ外縁壁部の先端部が配されるメイン周凹部が設けられていることを特徴とする請求項９または請求項１０に記載のメインボトル。
【請求項１２】
前記サブ天面部の外縁部に、前記サブ天面部に対して前記高さ方向の内方に没し、前記メイン外縁壁部の先端部が配されるサブ周凹部が設けられていることを特徴とする請求項９から請求項１１のいずれか一項に記載のメインボトル。
【請求項１３】
前記メイン側面部および前記サブ側面部の高さ寸法が異なっていることを特徴とする請求項１から請求項１２のいずれか一項に記載のメインボトル。
【請求項１４】
前記メイン側面部または前記サブ側面部の口金部に、シリコン製の断熱部材が着脱可能に設けられていることを特徴とする請求項１から請求項１３のいずれか一項に記載のメインボトル。
【請求項１５】
前記断熱部材が、前記口金部の外側壁から先端縁部を介して内側壁にわたって延在していることを特徴とする請求項１４に記載のメインボトル。
【請求項１６】
飲料を収容するメイン底面部、メイン側面部およびメイン天面部を備えたメインボトルに連結されるサブボトルであって、
飲料を収容するサブ底面部、サブ側面部およびサブ天面部を備え、
前記メイン底面部に設けられたメイン連結部に、前記メインボトルに対して高さ方向に配列された状態で着脱可能に連結されるサブ被連結部が前記サブ天面部に設けられていることを特徴とするサブボトル。
【請求項１７】
請求項１から請求項１６のいずれか一項に記載のメインボトルおよびサブボトルを備えることを特徴とする連結ボトル。
【考案の詳細な説明】
【技術分野】
【０００１】
本考案は、飲料を収容するメインボトル、サブボトルおよびこれらを備える連結ボトルに関する。
【背景技術】
【０００２】
従来、水、茶、コーヒー、ジュース、アルコールなどの飲料を収容するものとして、種々のボトルが利用されている。
このようなボトルとしては、底の付いた有底円筒状に形成されて、内部に液体を収容する本体部と、この本体部の開口部に設けられる蓋部とを備えるものが知られている。そして、利用者は、本体部に液体を収容し開口部に蓋部を締めた状態で、バッグの中などに入れてボトルを携行する。
【先行技術文献】
【特許文献】
【０００３】
【特許文献１】特開２００６−１４３３２７号公報
【考案の概要】
【考案が解決しようとする課題】
【０００４】
しかしながら、このようなボトルでは、例えば、お味噌汁とお茶の２種類の飲料を出先にて飲もうとする場合、バッグの中に２つのボトルを入れる必要があるため、ボトルの収容スペースが嵩張ってしまうだけでなく、携行中にそれぞれのボトルがカバンの中で動いてしまい、そのカバンが持ち難くなるという問題がある。
【０００５】
本考案は、このような問題を解決するためになされたもので、複数種類の飲料を入れて携行する場合に、スペース効率を向上させ、かつ携行し易くすることができるメインボトル、サブボトルおよびこれらを備える連結ボトルを提供することを目的とする。
【課題を解決するための手段】
【０００６】
上記課題を解決するために、本考案は以下の手段を提供する。
飲料を収容するサブ底面部、サブ側面部およびサブ天面部を備えたサブボトルに連結されるメインボトルであって、飲料を収容するメイン底面部、メイン側面部およびメイン天面部を備え、前記サブ天面部に設けられたサブ被連結部に、前記サブボトルに対して高さ方向に配列された状態で着脱可能に連結されるメイン連結部が前記メイン底面部に設けられていることを特徴とする。
【０００７】
この考案においては、メイン連結部とサブ被連結部とが連結されて、サブボトルに対して高さ方向に配列された状態で連結される。
これにより、メインボトルおよびサブボトルをバッグなどに入れる場合に、その収容スペースを小さくすることができるだけでなく、メインボトルとサブボトルとがバッグ内でそれぞれ独立して動いてしまうことを防止することができる。そのため、複数種類の飲料を入れて携行する場合に、収容のためのスペース効率を向上させ、かつ携行し易くすることができる。
【０００８】
また、本考案は、前記メイン連結部が、前記メイン底面部から円柱状に延びるメイン連結凸部と、前記メイン連結凸部の外周壁に設けられたメイン係合部とを備え、前記サブ被連結部が、前記メイン連結凸部が配される円形のサブ連結凹部と、前記メイン係合部に係合するサブ被係合部とを備えることを特徴とする。
【０００９】
この考案によれば、メイン連結部とサブ被連結部とを確実に連結・解除することができる。
【００１０】
また、本考案は、前記メイン係合部は、前記メイン連結凸部の外周壁から径方向外方に延びるメイン連結突起であり、前記サブ被係合部は、前記サブ連結凹部の内周壁に設けられ、かつ前記メイン連結突起が嵌められるサブ連結溝であり、前記サブ連結溝は、前記サブ連結凹部の周方向の一端から前記メイン連結突起が嵌められるサブ開口部と、前記サブ開口部から前記周方向に対して傾斜して延びるサブ連結壁部とによって形成され、前記メイン連結突起は、前記サブ連結壁部の傾斜に合わせて傾斜していることを特徴とする。
【００１１】
この考案によれば、メイン連結部とサブ被連結部とを簡易な動作により確実に連結・解除することができる。
【００１２】
また、本考案は、前記サブ底面部に設けられたサブ連結部に、前記サブボトルに対して高さ方向に配列された状態で着脱可能に連結されるメイン被連結部が前記メイン天面部に設けられていることを特徴とする。
【００１３】
この考案によれば、サブボトルを連結する際の配列の順番を変えることができる。
【００１４】
また、本考案は、前記サブ連結部が、前記サブ底面部から円柱状に延びるサブ連結凸部と、前記サブ連結凸部の外周壁に設けられたサブ係合部とを備え、前記メイン被連結部は、前記サブ連結凸部が配される円形のメイン連結凹部と、前記サブ係合部に係合するメイン被係合部とを備えることを特徴とする。
【００１５】
この考案によれば、サブ連結部とメイン被連結部とを確実に連結・解除することができる。
【００１６】
また、本考案は、前記サブ係合部が、前記サブ連結凸部の外周壁から径方向外方に延びるサブ連結突起であり、前記メイン被係合部は、前記メイン連結凹部の内周壁に設けられ、かつ前記サブ連結突起が嵌められるメイン連結溝であり、前記メイン連結溝は、前記メイン連結凹部の周方向の一端から前記サブ連結突起が嵌められるメイン開口部と、前記メイン開口部から前記周方向に対して傾斜して延びるメイン連結壁部とによって形成され、前記サブ連結突起は、前記メイン連結壁部の傾斜に合わせて傾斜していることを特徴とする。
【００１７】
この考案によれば、サブ連結部とメイン被連結部とを簡易な動作により確実に連結・解除することができる。
【００１８】
また、本考案は、前記メイン連結部と前記サブ連結部とが同一構成とされ、前記メイン被連結部と前記サブ被連結部とが同一構成とされていることを特徴とする。
【００１９】
この考案によれば、メインボトルとサブボトルとがそれぞれ複数あれば、メインボトルとサブボトルとを３つ以上いくつでも連結することができる。もちろん、メインボトルのみを複数連結したり、サブボトルのみを複数連結することができることは言うまでもない。
【００２０】
また、本考案は、前記メイン被連結部または前記サブ被連結部に着脱可能に取り付けられるシリコン製の蓋部材を備えることを特徴とする。
【００２１】
この考案によれば、メインボトルとサブボトルとを連結した際に、上側に配されたメイン被連結部またはサブ被連結部のスペースを埋めることができる。そのため、デザイン性を向上させることができるだけでなく、メイン被連結部またはサブ被連結部への塵埃の侵入を防止することができる。
【００２２】
また、本考案は、前記メイン底面部の外縁部から前記高さ方向の外方に延ばされ、かつ前記メイン連結部の周囲に配されたメイン外縁壁部が設けられ、前記サブ底面部の外縁部から前記高さ方向の外方に延ばされ、かつ前記サブ連結部の周囲に配されたサブ外縁壁部が設けられ、前記メイン連結部と前記メイン外縁壁部との間、または、前記サブ連結部と前記サブ外縁壁部との間にシリコン製のリング部材が着脱可能に取り付けられることを特徴とする。
【００２３】
この考案によれば、メインボトルとサブボトルとを連結した際に、下側に配された方の底面部のスペースを埋めることができる。そのため、デザイン性を向上させることができるだけでなく、当該スペースへの塵埃の侵入を防止することができる。
【００２４】
また、本考案は、前記リング部材を取り付けたときの前記リング部材の前記高さ方向外方への突出寸法が、前記メイン外縁壁部または前記サブ外縁壁部の突出寸法よりも大きくなっており、前記メイン外縁壁部または前記サブ外縁壁部の突出寸法が、前記メイン連結部または前記サブ連結部の突出寸法よりも大きくなっていることを特徴とする。
【００２５】
この考案によれば、設置面に対するリング部材のグリップ力を増加させることができ、メインボトルまたはサブボトルを設置面に置いたときの安定感を増大させることができる。
【００２６】
また、本考案は、前記メイン天面部の外縁部に、前記メイン天面部に対して前記高さ方向の内方に没し、前記サブ外縁壁部の先端部が配されるメイン周凹部が設けられていることを特徴とする。
【００２７】
この考案によれば、メインボトルとサブボトルとを連結する際に、メイン周凹部にサブ外縁壁部を配することができ、連結をスムーズに行うことができるだけでなく、連結時のデザイン性を向上させることができる。
【００２８】
また、本考案は、前記サブ天面部の外縁部に、前記サブ天面部に対して前記高さ方向の内方に没し、前記メイン外縁壁部の先端部が配されるサブ周凹部が設けられていることを特徴とする。
【００２９】
この考案によれば、メインボトルとサブボトルとを連結する際に、サブ周凹部にメイン外縁壁部を配することができ、連結をスムーズに行うことができるだけでなく、連結時のデザイン性を向上させることができる。
【００３０】
また、本考案は、前記メイン側面部および前記サブ側面部の高さ寸法が異なっていることを特徴とする。
【００３１】
この考案によれば、異なる種類の飲料を適切な量で収容することができる。
【００３２】
また、本考案は、前記メイン側面部または前記サブ側面部の口金部に、シリコン製の断熱部材が着脱可能に設けられていることを特徴とする。
【００３３】
この考案によれば、収容された温かい飲料を飲むときに、利用者の口を保護することができる。
【００３４】
また、本考案は、前記断熱部材が、前記口金部の外側壁から先端縁部を介して内側壁にわたって延在していることを特徴とする。
【００３５】
この考案によれば、利用者の口が口金部に直接触れないように確実に保護することができる。
【００３６】
また、本考案は、飲料を収容するメイン底面部、メイン側面部およびメイン天面部を備えたメインボトルに連結されるサブボトルであって、飲料を収容するサブ底面部、サブ側面部およびサブ天面部を備え、前記メイン底面部に設けられたメイン連結部に、前記メインボトルに対して高さ方向に配列された状態で着脱可能に連結されるサブ被連結部が前記サブ天面部に設けられていることを特徴とする。
【００３７】
この考案においては、メイン連結部とサブ被連結部とが連結されて、メインボトルに対して高さ方向に配列された状態で連結される。
これにより、メインボトルおよびサブボトルをバッグなどに入れる場合に、その収容スペースを小さくすることができるだけでなく、メインボトルとサブボトルとがバッグ内でそれぞれ独立して動いてしまうことを防止することができる。そのため、複数種類の飲料を入れて携行する場合に、収容のためのスペース効率を向上させ、かつ携行し易くすることができる。
【００３８】
また、本考案は、請求項１から請求項１６のいずれか一項に記載のメインボトルおよびサブボトルを備えることを特徴とする。
【００３９】
この考案によれば、請求項１から請求項１６のいずれか一項に記載のメインボトルおよびサブボトルと同様の効果を奏することができる。
【考案の効果】
【００４０】
本考案によれば、複数種類の飲料を入れて携行する場合に、スペース効率を向上させ、かつ携行し易くすることができる。
【図面の簡単な説明】
【００４１】
【図１】本考案の実施形態におけるボトルを示す分解斜視図である。
【図２】図１の第１の蓋部の側断面図と平面図とを対応させて示す説明図である。
【図３】図２の第１の蓋部を示す斜視図である。
【図４】図１の第１の収容本体部の側断面図と平面図とを対応させて示す説明図である。
【図５】図１の第１の収容本体部の底面部分を拡大して示す斜視図である。
【図６】図１の第１の収容本体部の側断面図である。
【図７】図６の第１の収容本体部に負荷がかかったときの様子を示す説明図である。
【考案を実施するための最良の形態】
【００４２】
（実施形態）
以下、本考案の実施形態におけるメインボトル、サブボトルおよび連結ボトルについて、図面を参照して説明する。
図１から図７は、本実施形態における連結ボトル１０を示すものである。
連結ボトル１０は、それぞれ飲料を収容するメインボトル１とサブボトル２とを備えている。
まず、メインボトル１について説明する。
メインボトル１は、飲料を収容する第１の収容本体部１２と、この第１の収容本体部１２に着脱可能に取り付けられる第１の蓋部１１とを備えている。
第１の蓋部１１は、図２に示すように、円形板状の天面部（メイン天面部）１１１ａを備えている。
天面部１１１ａの表面の中央には、円形凹部（メイン連結凹部、メイン被連結部）１１１ｂが設けられている。この円形凹部１１１ｂの内周壁部（内周壁）１１１ｃには、図３に示すように、逆Ｌ字状の区画線部（メイン連結壁部）１１１ｄが設けられている。この区画線部１１１ｄの短辺部の先端は円形凹部１１１ｂの底面にまで延ばされている。また、区画線部１１１ｄの長辺部は、先端部が上方に向けられており、周方向に対して傾斜している。この区画線部１１１ｄの長辺部と短辺部と円形凹部１１１ｂの底面とによって区画された領域が、連結長溝（メイン連結溝、メイン被係合部、メイン被連結部）１１１ｅとなる。そして、区画線部１１１ｄの先端部と、円形凹部１１１ｂの底面との間には開口部（メイン開口部）１１１ｆが設けられており、連結長溝１１１ｅの周方向の一端は開口部１１１ｆを介して開口している。さらに、区画線部１１１ｄおよび連結長溝１１１ｅは、円形凹部１１１ｂの中心点に対して点対称に設けられ、互いに対向するようにして配置されている。
【００４３】
また、円形凹部１１１ｂには、図２に示すように、円形板状に形成されたシリコン製の蓋部材３が着脱可能に取り付けられるようになっている。蓋部材３の外径は、円形凹部１１１ｂの内径と同一になっている。さらに、蓋部材３の外周壁部には、蓋部材３が円形凹部１１１ｂに取り付けられたときに、区画線部１１１ｄが配される凹部３ａが設けられている。
さらに、天面部１１１ａの表面の外縁部には、天面部１１１ａに対して没入する外縁凹部（メイン周凹部）１１１ｎが設けられている。外縁凹部１１１ｎは、天面部１１１ａの表面の外縁部の全周にわたって設けられている。
【００４４】
また、天面部１１１ａの裏面の外縁部には、その全周から天面部１１１ａの厚さ方向に延びる円筒状の外周筒部１１１ｇが設けられている。さらに、天面部１１１ａの裏面の中央部には、天面部１１１ａの厚さ方向に延びる円柱蓋部１１１ｈが設けられている。この円柱蓋部１１１ｈは、外周筒部１１１ｇよりも外径が小さくなっており、天面部１１１ａと外周筒部１１１ｇとに対して同心状に配置されている。すなわち、円柱蓋部１１１ｈは、外周筒部１１１ｇの内方領域において、外周筒部１１１ｇの内周壁部に対して所定の空間を空けて配置されている。また、円柱蓋部１１１ｈの先端面の外縁部には、シリコン製のパッキン１１１ｊがその全周にわたって着脱可能に設けられている。このパッキン１１１ｊは、第１の蓋部１１が第１の収容本体部１２に取り付けられたときのシール部材として機能する。また、円柱蓋部１１１ｈの外周壁部１１１ｋには、雄ネジ部１１１ｍが設けられている。
なお、天面部１１１ａに対する円柱蓋部１１１ｈの高さ寸法ｈ１１は、天面部１１１ａに対する外周筒部１１１ｇの高さ寸法ｈ１２よりも大きくなっている。すなわち、円柱蓋部１１１ｈは、外周筒部１１１ｇに対して、厚さ方向の下方に突出している。そのため、第１の蓋部１１は第１の収容本体部１２に取り付け易くなっている。
【００４５】
また、図１に示すように、第１の収容本体部１２は、第１の収容部１２１と、底面部（メイン底面部）１２２とを備えている。
第１の収容部１２１は、底の付いた有底円筒状の筒状部（メイン側面部）１２１１と、この筒状部１２１１の開口端に設けられた傾斜部１２１２と、この傾斜部１２１２の開口端に設けられた口金部１２１３とを備えている。
筒状部１２１１は、金属からなり、内部に液体を収容するようになっている。
傾斜部１２１２は、筒状部１２１１の周方向の全長から高さ方向Ｈの外方に延ばされ、高さ方向Ｈの外方にいくにしたがって漸次径縮径するように傾斜している。
口金部１２１３は、傾斜部１２１２の周方向の全長から高さ方向Ｈの外方に延ばされた円筒状に形成されている。この口金部１２１３には、開口端部から全周にわたってリング状に延ばされたシリコン製のパッキン（断熱部材）１２１４が着脱可能に設けられている。このパッキン１２１４は、口金部１２１３の外周壁部から開口先端縁部を介して内周壁部にわたって延ばされている。また、パッキン１２１４は、利用者が筒状部１２１１を下方に傾けながら口金部１２１３を口に当てたときに、利用者の口が熱くならないように断熱部材として機能するだけでなく、第１の蓋部１１が口金部１２１３に取り付けられたときに、シーリング部材として機能する。また、口金部１２１３の内周壁部１２１３ａには、雌ネジ部１２１３ｂが形成されている。
【００４６】
底面部１２２は、図４に示すように、筒状部１２１１と外径を同じくする円形板状の接続板部１２２ａを備えている。接続板部１２２ａの表面は、筒状部１２１１の底面に同心状に固定されている。また、接続板部１２２ａの裏面の外縁部には、その全周から高さ方向Ｈの外方に延びる円筒状の外縁壁部（メイン外縁壁部）１２２ｂが設けられている。さらに、接続板部１２２ａの裏面の中央部には、高さ方向Ｈの外方に延びる円柱連結部（メイン連結凸部、メイン連結部）１２２ｃが設けられている。この円柱連結部１２２ｃは、外縁壁部１２２ｂよりも外径が小さくなっており、接続板部１２２ａと外縁壁部１２２ｂとに対して同心状に配置されている。すなわち、円柱連結部１２２ｃは、外縁壁部１２２ｂの内方領域において、外縁壁部１２２ｂの内周壁部に対して所定の空間１２２ｄを空けて配置されている。また、円柱連結部１２２ｃの外周壁部（外周壁）１２２ｅには、径方向外方に突出する線状の連結突起（メイン係合部、メイン連結部）１２２ｆが対をなして設けられている。これら連結突起１２２ｆは、円柱連結部１２２ｃの中心点に対して点対称に設けられている。さらに、これら連結突起１２２ｆは、図５に示すように、周方向に対して傾斜して設置されている。これら連結突起１２２ｆの傾斜の角度は、図３に示す区画線部１１１ｄの傾斜と同じになっている。
【００４７】
また、図６に示すように、底面部１２２の空間１２２ｄには、シリコン製のリング部材４が着脱可能に取り付けられるようになっている。このリング部材４は、空間１２２ｄ内を埋めるスペーサとして機能する。リング部材４の内周壁部には、当該リング部材４が空間１２２ｄに取り付けられたときに連結突起１２２ｆが配される凹部４ａが対をなして設けられている。
さらに、リング部材４が空間１２２ｄに取り付けられた状態において、リング部材４の先端面４ｂが接続板部１２２ａの裏面から突出する突出寸法ｈ１は、当該裏面から突出する外縁壁部１２２ｂの先端面１２２ｂ１の突出寸法ｈ２と、当該裏面から突出する円柱連結部１２２ｃの先端面１２２ｃ１の突出寸法ｈ３とは異なっている。具体的には、寸法の大きい順に、突出寸法ｈ１，ｈ２，ｈ３となっている。すなわち、リング部材４が空間１２２ｄに取り付けられた状態において、リング部材４の先端面４ｂが当該裏面から最も突出し、次いで外縁壁部１２２ｂの先端面１２２ｂ１となり、最後に円柱連結部１２２ｃの先端面１２２ｃ１となる。換言すると、リング部材４の先端面４ｂが当該裏面から一番突出し、外縁壁部１２２ｂの先端面１２２ｂ１が２番目に突出し、円柱連結部１２２ｃの先端面１２２ｃ１が３番目に突出している。
【００４８】
次に、サブボトル２について説明する。
サブボトル２は、メインボトル１とほぼ同一の構成となっている。異なるのは、図１に示すように、筒状部２２１１の高さ寸法ｈ２００のみである。すなわち、メインボトル１の筒状部１２１１の高さ寸法ｈ１００は、サブボトル２の筒状部２２１１の高さ寸法ｈ２００よりも小さくなっている。
その他の構成は、メインボトル１の構成と同一（同一形状、同一材料、同一サイズ）であるため、詳細な説明は省略する。
なお、図２から図７は、メインボトル１の構成を示すものであるが、高さ寸法ｈ１００，ｈ２００以外はサブボトル２の構成も同一であるため、図２から図７において、サブボトル２に対応する構成をそれぞれ括弧内の符号で示すものとする。
【００４９】
以下では、サブボトル２について、簡単に説明する。
サブボトル２は、飲料を収容する第２の収容本体部２２と、第２の蓋部２１とを備えている。
第２の蓋部２１は、図２に示すように、天面部（サブ天面部）２１１ａを備えている。
天面部２１１ａの表面の中央には、円形凹部（サブ連結凹部、サブ被連結部）２１１ｂが設けられている。この円形凹部２１１ｂの内周壁部（内周壁）２１１ｃには、図３に示すように、区画線部（サブ連結壁部）２１１ｄが設けられている。この区画線部２１１ｄの長辺部と短辺部と円形凹部２１１ｂの底面とによって区画された領域が、連結長溝（サブ連結溝、サブ被係合部、サブ被連結部）２１１ｅとなる。そして、区画線部２１１ｄの先端部と、円形凹部２１１ｂの底面との間には開口部（サブ開口部）２１１ｆが設けられており、連結長溝２１１ｅの周方向の一端は開口部２１１ｆを介して開口している。
【００５０】
また、円形凹部２１１ｂには、図２に示すように、蓋部材３が着脱可能に取り付けられるようになっている。なお、蓋部材３は、円形凹部１１１ｂ，２１１ｂのいずれか一方に選択的に取り付けられるようになっている。
さらに、天面部２１１ａの表面の外縁部には、外縁凹部（サブ周凹部）２１１ｎが設けられている。
また、天面部２１１ａの裏面の外縁部には、外周筒部２１１ｇが設けられている。さらに、天面部２１１ａの裏面の中央部には、円柱蓋部２１１ｈが設けられている。円柱蓋部２１１ｈの先端面の外縁部には、シリコン製のパッキン２１１ｊがその全周にわたって着脱可能に設けられている。また、円柱蓋部２１１ｈの外周壁部２１１ｋには、雄ネジ部２１１ｍが設けられている。
【００５１】
また、図１に示すように、第２の収容本体部２２は、第２の収容部２２１と、底面部（サブ底面部）２２２とを備えている。
第２の収容部２２１は、筒状部（サブ側面部）２２１１と、傾斜部２２１２と、口金部２２１３とを備えている。
【００５２】
口金部２２１３の全長には、シリコン製のパッキン２２１４が着脱可能に設けられている。また、口金部２２１３の内周壁部２２１３ａには、雌ネジ部２２１３ｂが形成されている。
底面部２２２は、図４に示すように、接続板部２２２ａを備えている。接続板部２２２ａの裏面の外縁部には、外縁壁部（サブ外縁壁部）２２２ｂが設けられている。さらに、接続板部２２２ａの裏面の中央部には、円柱連結部（サブ連結凸部、サブ連結部）２２２ｃが設けられている。また、円柱連結部２２２ｃの外周壁部（外周壁）２２２ｅには、連結突起（サブ連結突起、サブ係合部）２２２ｆが対をなして設けられている。
また、図６に示すように、底部２２の空間２２２ｄには、シリコン製のリング部材４が着脱可能に取り付けられるようになっている。なお、リング部材４は、空間１２２ｄ，２２２ｄのいずれか一方に選択的に取り付けられるようになっている。
【００５３】
次いで、本実施形態における連結ボトル１０の利用方法について説明する。
なお、蓋部材３は、メインボトル１に取り付けられ、リング部材４は、サブボトル２に取り付けられているものとする。
利用者は、メインボトル１の筒状部１２１１内に、例えばお味噌汁などの飲料を注ぐ。そして、第１の蓋部１１の円柱蓋部１１１ｈを、メインボトル１の口金部１２１３内に挿入して第１の蓋部１１を回転させる。これにより、メインボトル１の雄ネジ部１１１ｍがメインボトル１の雌ネジ部１２１３ｂに噛み合わされて、口金部１２１３に第１の蓋部１１が締められる。このとき、パッキン１１１ｊ，１２１４によって、口金部１２１３がシールされる。
同様にして、利用者は、サブボトル２の筒状部２２１１内に、例えば、お茶などの飲料を注ぎ、上記と同様にして、口金部２２１３に第２の蓋部２１が締められ、口金部２２１３がシールされる。
【００５４】
それから、メインボトル１の円柱連結部１２２ｃをサブボトル２の円形凹部２１１ｂに挿入しながら回転させる。すると、メインボトル１の連結突起１２２ｆが周方向に回転していき、サブボトル２の開口部２１１ｆを介して連結長溝２１１ｅに嵌められていく。このとき、連結突起１２２ｆと連結長溝２１１ｅの区画線部２１１ｂとが、進行方向に対して次第に低くなるように傾斜していることから、これら連結突起１２２ｆと連結長溝２１１ｅとが係合していく。そして、連結突起１２２ｆが区画線部２１１ｂの短辺部に当接することにより、メインボトル１の回転が止められる。このとき、メインボトル１の外縁壁部１２２ｂが、サブボトル２の外縁凹部２１１ｎに配される。これにより、メインボトル１とサブボトル２とが、高さ方向に同心状に配列された状態で連結される。
この状態で、利用者は、連結ボトル１０をカバンの中などに入れて携行する。
【００５５】
なお、メインボトル１とサブボトル２との連結を解除するためには、上記動作を逆に行えばよい。すなわち、メインボトル１を逆方向に回転させると、連結突起１２２ｆが連結長溝２１１ｅから外方に出されて係合が解除され、これにより、メインボトル１とサブボトル２との連結が解除される。
また、メインボトル１とサブボトル２の配列の順番を変えることができる。すなわち、上記では、メインボトル１を上にして、サブボトル２を下にして連結したが、これに変えて、メインボトル１を下にして、サブボトル２を上にして連結することができる。このときの連結・解除の動作は、上記と同様である。なお、蓋部材３は、上に配置される円形凹部１１１ｂ，２１１ｂに選択的に取り付けられ、リング部材４は、下に配置される空間１２２ｄ，２２２ｄに選択的に取り付けられる。
さらに、メインボトル１とサブボトル２は、高さ寸法ｈ１００，ｈ２００以外は同一構成であるため、メインボトル１とサブボトル２とがそれぞれ複数あれば、メインボトル１とサブボトル２とを３つ以上いくつでも連結することができる。
【００５６】
さらに、リング部材４が取り付けられたサブボトル２をテーブル面Ｔ（図７に示す）などの上に置くと、リング部材４、外縁壁部２２２ｂおよび円柱連結部２２２ｃのうち、リング部材４が一番突出していることから、リング部材４がテーブル面Ｔにグリップし、サブボトル２を置いたときの安定感が増大する。
また、このとき、図７に示すように、第２の収容本体部２２に紙面に対して右下方向に負荷Ｆがかかった場合、この付加Ｆの右方向の成分である負荷Ｆ１と下方向の成分である負荷Ｆ２によって、リング部材４の外縁部には、テーブル面Ｔからの負荷Ｆ１２と、テーブル面Ｔの摩擦により生じる左方向の負荷Ｆ１１がかかる。そのため、リング部材４の外縁部は、左方向および上方向に弾性変形しようとするが、２番目に突出する外縁壁部１２２ｂによってそれら弾性変形（特に左方向の弾性変形）が抑えられる。
さらに、リング部材４の中心点を挟んだ反対側の内縁部にも、テーブル面Ｔからの負荷Ｆ２２と、テーブル面Ｔの摩擦により生じる左方向の負荷Ｆ２１がかかる。このとき、リング部材４の内縁部は、左方向および上方向に弾性変形しようとする。ここで、円柱連結部２２２ｃは外縁筒部２２１ｂよりも低くなっており、弾性変形のためのより大きな空間があるため、リング部材４の内縁部は、より大きく弾性変形する。すなわち、これによってグリップ力を増大させることができる。
【００５７】
以上より、本実施形態における連結ボトル１０によれば、メインボトル１とサブボトル２とを高さ方向に配列させた状態で、着脱可能に連結することができることから、連結ボトル１０をバッグなどに入れる場合に、その収容スペースを小さくすることができるだけでなく、メインボトル１とサブボトル２とがバッグ内でそれぞれ独立して動いてしまうことを防止することができる。そのため、複数種類の飲料を入れて携行する場合に、収容のためのスペース効率を向上させ、かつ携行し易くすることができる。
また、連結長溝１１１ｅ，２１１ｅと連結突起１２２ｆ，２２２ｆとを周方向から係合させることから、メインボトル１とサブボトル２とを相対的に回転させるという簡易な動作により、それらメインボトル１とサブボトル２とを確実に連結・解除することができる。
また、区画線部１１１ｂ，２１１ｂと連結突起１２２ｆ，２２２ｆとが傾斜していることから、互いの回転を少なくしても連結長溝１１１ｅ，２１１ｅと連結突起１２２ｆ，２２２ｆとを確実に係合・解除することができる。
【００５８】
また、連結長溝１１１ｅ，２１１ｅと連結突起１２２ｆ，２２２ｆとが設けられていることから、メインボトル１とサブボトル２とを連結する際の配列の順番を変えることができる。
また、メインボトル１とサブボトル２は、高さ寸法ｈ１００，ｈ２００以外は同一構成であるため、メインボトル１とサブボトル２とがそれぞれ複数あれば、第１の本体部
部１とサブボトル２とを３つ以上いくつでも連結することができる。もちろん、メインボトル１のみを複数連結したり、サブボトル２のみを複数連結することができることは言うまでもない。
また、円形凹部１１１ｂ，２１１ｂに蓋部材３が選択的に取り付けられることから、メインボトル１とサブボトル２とを連結した際に、上側に配された円形凹部１１１ｂ，２１１ｂのスペースを埋めることができる。そのため、デザイン性を向上させることができるだけでなく、円形凹部１１１ｂ，２１１ｂへの塵埃の侵入を防止することができる。
【００５９】
また、空間１２２ｄ，２２２ｄにリング部材４が選択的に取り付けられることから、メインボトル１とサブボトル２とを連結した際に、下側に配された空間１２２ｄ，２２２ｄを埋めることができる。そのため、デザイン性を向上させることができるだけでなく、空間１２２ｄ，２２２ｄへの塵埃の侵入を防止することができる。
また、リング部材４の先端面４ｂが一番突出していることから、テーブル面Ｔとの摩擦力により、リング部材４をテーブル面Ｔにグリップさせることができ、メインボトル１またはサブボトル２を置いたときの安定感を増大させることができる。例えば、リング部材４が取り付けられたサブボトル２をテーブル面Ｔに置いた状態で、メインボトル１をサブボトル２に押し付けながら回転させることにより、メインボトル１とサブボトル２との連結・解除を片手で容易に行うことができる。
さらに、外縁壁部１２２ｂ，２２２ｂの先端面１２２ｂ１，２２２ｂ１が２番目に突出していることから、リング部材４の外縁部に、左方向および上方向に弾性変形しようとする負荷がかかっても、外縁壁部１２２ｂによってそれら弾性変形を抑えることができる。そのため、メインボトル１またはサブボトル２のテーブル面Ｔ上での安定感をより増大させることができる。
さらに、円柱連結部１２２ｃ，２２２ｃの先端面１２２ｃ１，２２２ｃ１が３番目に突出していることから、リング部材４の内縁部に、左方向および上方向に弾性変形しようとする負荷がかかっても、リング部材４の内縁部をより大きく弾性変形させることができ、グリップ力を増大させることができる。
【００６０】
また、天面部１１１ａ，２１１ａに、外縁凹部１１１ｎ，２１１ｎが設けられていることから、メインボトル１とサブボトル２とを連結する際に、それぞれ外縁壁部２２２ｂ，１２２ｂを配することができ、連結をスムーズに行うことができるだけでなく、連結時のデザイン性を向上させることができる。
また、筒状部１２１１，２２１１の高さ寸法ｈ１００，ｈ２００が異なっていることから、異なる種類の飲料を適切な量で収容することができる。
また、口金部１２１３，２２１３にパッキン１２１４，２２１４が設けられることから、収容された温かい飲料を飲むときに、利用者の口を保護することができる。
また、パッキン１２１４，２２１４が、口金部１２１３，２２１３の外周壁部から開口先端縁部を介して内周壁部にわたって延ばされていることから、利用者の口が口金部１２１３，２２１３に直接触れないように確実に保護することができる。
【００６１】
なお、本考案の技術範囲は上記の実施形態に限定されるものではなく、本考案の趣旨を逸脱しない範囲において、形状や寸法など種々の変更を加えることが可能である。
例えば、メインボトル１とサブボトル２とを連結する場合の連結の構成は、適宜変更可能である。具体的には、高さ方向Ｈまたは径方向の凹凸嵌合やネジにより、連結・解除するようにしても良い。
また、メインボトル１に円形凹部１１１ｂや連結長溝１１１ｅを設け、サブボトル２に円柱連結部２２２ｃおよび連結突起２２２ｆを設けるとしたが、これに限ることはなく、必ずしもそれらを設ける必要はない。
また、円形凹部１１１ｂ，２１１ｂ、連結長溝１１１ｅ，２１１ｅ、円柱連結部１２２ｃ，２２２ｃおよび連結突起１２２ｆ，２２２ｆを、メインボトル１とサブボトル２とで同一構成としたが、これに限ることはなく、別構成としても良い。
【００６２】
また、蓋部材３およびリング部材４が取り付けられるとしたが、これに限ることはなく、必ずしもそれらを設ける必要はない。
また、突出寸法ｈ１，ｈ２，ｈ３については適宜変更可能であり、リング部材４の先端面４ｂ、外縁壁部１２２ｂ，２２２ｂの先端面１２２ｂ１，２２２ｂ１および円柱連結部１２２ｃ，２２２ｃの先端面１２２ｃ１，２２２ｃ１の突出の順番も適宜変更可能である。
また、外縁凹部１１１ｎ，２１１ｎを設けるとしたが、これに限ることはなく、必ずしもそれらを設ける必要はない。
また、高さ寸法ｈ１００，ｈ２００が異なるとしたが、これに限ることはなく、それら高さ寸法を同一にしても良い。
また、口金部１２１３，２２１３にパッキン１２１４，２２１４が設けられるとしたが、これに限ることはなく、必ずしもそれらを設ける必要はない。
また、パッキン１２１４，２２１４が、口金部１２１３，２２１３の外周壁部から開口先端縁部を介して内周壁部にわたって延ばされているとしたが、これに限ることはなく、設置位置や場所などは適宜変更可能である。
なお、メインボトル１の「メイン」と、サブボトル２の「サブ」には、主従の関係などはなく、単にボトルの名を区別するために形式上設けられたものである。そのため、メインボトル１およびサブボトル２は、サイズの大小などによって適用され区別されるものではなく、それぞれ任意に適用することができる。
また、これら各変形例を自由に組み合わせることができることは言うまでもない。
【符号の説明】
【００６３】
１  メインボトル
２  サブボトル
３  蓋部材
４  リング部材
１０  連結ボトル
１１１ａ  天面部（メイン天面部）
１１１ｂ  円形凹部（メイン連結凹部、メイン被連結部）
１１１ｃ，２１１ｃ  内周壁部（内周壁）
１１１ｄ  区画線部（メイン連結壁部）
１１１ｅ  連結長溝（メイン連結溝、メイン被係合部、メイン被連結部）
１１１ｆ  開口部（メイン開口部）
１１１ｎ  外縁凹部（メイン周凹部）
１２２  底面部（メイン底面部）
１２２ｂ  外縁壁部（メイン外縁壁部）
１２２ｃ  円柱連結部（メイン連結凸部、メイン連結部）
１２２ｅ，２２２ｅ  外周壁部（外周壁）
１２２ｆ  連結突起（メイン係合部、メイン連結部）
２１１ａ  天面部（サブ天面部）
２１１ｂ  円形凹部（サブ連結凹部、サブ被連結部）
２１１ｄ  区画線部（サブ連結壁部）
２１１ｅ  連結長溝（サブ連結溝、サブ被係合部、サブ被連結部）
２１１ｆ  開口部（サブ開口部）
２１１ｎ  外縁凹部（サブ周凹部）
２２２  底面部（サブ底面部）
２２２ｂ  外縁壁部（サブ外縁壁部）
２２２ｃ  円柱連結部（サブ連結凸部、サブ連結部）
２２２ｆ  連結突起（サブ連結突起、サブ係合部）
１２１１  筒状部（メイン側面部）
１２１３，２２１３  口金部
１２１４，２２１４  パッキン（断熱部材）
２２１１  筒状部（サブ側面部）
ｈ１，ｈ２，ｈ３  突出寸法
ｈ１００，ｈ２００  高さ寸法
【図１】
0003176920.tif 000003
【図２】
0003176920.tif 000004
【図３】
0003176920.tif 000005
【図４】
0003176920.tif 000006
【図５】
0003176920.tif 000007
【図６】
0003176920.tif 000008
【図７】
0003176920.tif 000009
【手続補正書】
【提出日】平成24年5月2日(2012.5.2)
【手続補正１】
【補正対象書類名】実用新案登録請求の範囲
【補正対象項目名】全文
【補正方法】変更
【補正の内容】
【実用新案登録請求の範囲】
【請求項１】
飲料を収容するサブ底面部、サブ側面部およびサブ天面部を備えたサブボトルに連結されるメインボトルであって、
飲料を収容するメイン底面部、メイン側面部およびメイン天面部を備え、
前記サブ天面部に設けられたサブ被連結部に、前記サブボトルに対して高さ方向に配列された状態で着脱可能に連結されるメイン連結部が前記メイン底面部に設けられていることを特徴とするメインボトル。
【請求項２】
前記メイン連結部は、
前記メイン底面部から円柱状に延びるメイン連結凸部と、
前記メイン連結凸部の外周壁に設けられたメイン係合部とを備え、
前記サブ被連結部は、
前記メイン連結凸部が配される円形のサブ連結凹部と、
前記メイン係合部に係合するサブ被係合部とを備えることを特徴とする請求項１に記載のメインボトル。
【請求項３】
前記メイン係合部は、前記メイン連結凸部の外周壁から径方向外方に延びるメイン連結突起であり、
前記サブ被係合部は、前記サブ連結凹部の内周壁に設けられ、かつ前記メイン連結突起が嵌められるサブ連結溝であり、
前記サブ連結溝は、前記サブ連結凹部の周方向の一端から前記メイン連結突起が嵌められるサブ開口部と、前記サブ開口部から前記周方向に対して傾斜して延びるサブ連結壁部とによって形成され、
前記メイン連結突起は、前記サブ連結壁部の傾斜に合わせて傾斜していることを特徴とする請求項２に記載のメインボトル。
【請求項４】
前記サブ底面部に設けられたサブ連結部に、前記サブボトルに対して高さ方向に配列された状態で着脱可能に連結されるメイン被連結部が前記メイン天面部に設けられていることを特徴とする請求項１から請求項３のいずれか一項に記載のメインボトル。
【請求項５】
前記サブ連結部は、
前記サブ底面部から円柱状に延びるサブ連結凸部と、
前記サブ連結凸部の外周壁に設けられたサブ係合部とを備え、
前記メイン被連結部は、
前記サブ連結凸部が配される円形のメイン連結凹部と、
前記サブ係合部に係合するメイン被係合部とを備えることを特徴とする請求項４に記載のメインボトル。
【請求項６】
前記サブ係合部は、前記サブ連結凸部の外周壁から径方向外方に延びるサブ連結突起であり、
前記メイン被係合部は、前記メイン連結凹部の内周壁に設けられ、かつ前記サブ連結突起が嵌められるメイン連結溝であり、
前記メイン連結溝は、前記メイン連結凹部の周方向の一端から前記サブ連結突起が嵌められるメイン開口部と、前記メイン開口部から前記周方向に対して傾斜して延びるメイン連結壁部とによって形成され、
前記サブ連結突起は、前記メイン連結壁部の傾斜に合わせて傾斜していることを特徴とする請求項５に記載のメインボトル。
【請求項７】
前記メイン連結部と前記サブ連結部とが同一構成とされ、
前記メイン被連結部と前記サブ被連結部とが同一構成とされていることを特徴とする請求項４から請求項６のいずれか一項に記載のメインボトル。
【請求項８】
前記メイン被連結部または前記サブ被連結部に着脱可能に取り付けられるシリコン製の蓋部材を備えることを特徴とする請求項７に記載のメインボトル。
【請求項９】
前記メイン底面部の外縁部から前記高さ方向の外方に延ばされ、かつ前記メイン連結部の周囲に配されたメイン外縁壁部が設けられ、
前記サブ底面部の外縁部から前記高さ方向の外方に延ばされ、かつ前記サブ連結部の周囲に配されたサブ外縁壁部が設けられ、
前記メイン連結部と前記メイン外縁壁部との間、または、前記サブ連結部と前記サブ外縁壁部との間にシリコン製のリング部材が着脱可能に取り付けられることを特徴とする請求項７または請求項８に記載のメインボトル。
【請求項１０】
前記リング部材を取り付けたときの前記リング部材の前記高さ方向外方への突出寸法が、前記メイン外縁壁部または前記サブ外縁壁部の突出寸法よりも大きくなっており、
前記メイン外縁壁部または前記サブ外縁壁部の突出寸法が、前記メイン連結部または前記サブ連結部の突出寸法よりも大きくなっていることを特徴とする請求項９に記載のメインボトル。
【請求項１１】
前記メイン天面部の外縁部に、前記メイン天面部に対して前記高さ方向の内方に没し、前記サブ外縁壁部の先端部が配されるメイン周凹部が設けられていることを特徴とする請求項９または請求項１０に記載のメインボトル。
【請求項１２】
前記サブ天面部の外縁部に、前記サブ天面部に対して前記高さ方向の内方に没し、前記メイン外縁壁部の先端部が配されるサブ周凹部が設けられていることを特徴とする請求項９から請求項１１のいずれか一項に記載のメインボトル。
【請求項１３】
前記メイン側面部および前記サブ側面部の高さ寸法が異なっていることを特徴とする請求項１から請求項１２のいずれか一項に記載のメインボトル。
【請求項１４】
前記メイン側面部または前記サブ側面部の口金部に、シリコン製の断熱部材が着脱可能に設けられていることを特徴とする請求項１から請求項１３のいずれか一項に記載のメインボトル。
【請求項１５】
前記断熱部材が、前記口金部の外側壁から先端縁部を介して内側壁にわたって延在していることを特徴とする請求項１４に記載のメインボトル。
【請求項１６】
飲料を収容するメイン底面部、メイン側面部およびメイン天面部を備えたメインボトルに連結されるサブボトルであって、
飲料を収容するサブ底面部、サブ側面部およびサブ天面部を備え、
前記メイン底面部に設けられたメイン連結部に、前記メインボトルに対して高さ方向に配列された状態で着脱可能に連結されるサブ被連結部が前記サブ天面部に設けられていることを特徴とするサブボトル。
【請求項１７】
請求項１から請求項１５のいずれか一項に記載のメインボトルと、
請求項１６に記載のサブボトルとを備えることを特徴とする連結ボトル。
【手続補正２】
【補正対象書類名】明細書
【補正対象項目名】００３８
【補正方法】変更
【補正の内容】
【００３８】
また、本考案は、請求項１から請求項１５のいずれか一項に記載のメインボトルと、請求項１６に記載のサブボトルとを備えることを特徴とする。
【手続補正３】
【補正対象書類名】明細書
【補正対象項目名】００３９
【補正方法】変更
【補正の内容】
【００３９】
この考案によれば、請求項１から請求項１５のいずれか一項に記載のメインボトルと、請求項１６に記載のサブボトルと同様の効果を奏することができる。